(57)【要約】  エバポレータ１は、１対のヘッダタンク2,3間に、複数の熱交換管15からなる熱交換管群16が、前後方向に間隔をおいて２列設けられたものである。各ヘッダタンク2,3は２つのヘッダ部5,6,11,12を備えている。各ヘッダタンク2,3は、熱交換管15が接続された第１部材21,93と、第１部材21,93に接合されかつ第１部材21,93における熱交換管15とは反対側を覆う第２部材22,94とを備えている。各ヘッダタンク2,3の第２部材22,94に、各ヘッダ部5,6,11,12内を上下２つの空間5a,5b,6a,6bに仕切る仕切部41,42を設ける。各仕切部41,42に、各ヘッダ部5,6,11,12内の上下２つの空間5a,5b,6a,6bを通じさせる貫通穴47,51A,101,102を形成する。第２部材22,94を、金属板を曲げることにより形成する。このエバポレータ１によれば、部品点数が少なくて済むとともに、製造作業が容易になる。
2008041698.tif 000002
【特許請求の範囲】
【請求項１】
互いに間隔をおいて配置された１対のヘッダタンク間に、ヘッダタンクの長さ方向に間隔をおいて配置されるとともに両端部が両ヘッダタンクに接続された複数の熱交換管からなる熱交換管群が、前後方向に間隔をおいて複数列設けられており、各ヘッダタンクが、前後方向に並んで設けられるとともに相互に一体化された２つのヘッダ部を備え、各ヘッダタンクが、熱交換管が接続された第１部材と、第１部材に接合されかつ第１部材における熱交換管とは反対側を覆う第２部材とを備えており、両ヘッダタンクの各ヘッダ部どうしの間に、それぞれ少なくとも１列の熱交換管群が設けられている熱交換器において、
少なくともいずれか一方のヘッダタンクの第２部材が、金属板を曲げることにより形成されており、金属板を曲げることにより形成された第２部材に、各ヘッダ部内を上下２つの空間に仕切る仕切部が設けられ、各仕切部に、各ヘッダ部内の上下２つの空間を通じさせる貫通穴が形成されている熱交換器。
【請求項２】
両ヘッダタンクの第２部材が、それぞれ金属板を曲げることにより形成されている請求項１記載の熱交換器。
【請求項３】
冷媒が熱交換管に流入するヘッダ部に設けられた第２部材の仕切部に、複数の貫通穴が形成されている請求項１記載の熱交換器。
【請求項４】
複数の貫通穴が形成された仕切部の熱交換管側を向いた面における貫通穴の周囲の部分に、熱交換管側に突出したフランジが一体に形成されている請求項３記載の熱交換器。
【請求項５】
複数の貫通穴が形成された仕切部の片面における貫通穴の周囲の部分に、熱交換管とは反対側の空間から熱交換管に向かって冷媒を案内するガイド部が一体に形成されている請求項３記載の熱交換器。
【請求項６】
複数の貫通穴が形成された仕切部の熱交換管側を向いた面における貫通穴の周囲の部分であって、かつ冷媒が熱交換管に流入するヘッダ部内における熱交換管とは反対側の空間での冷媒の流れ方向上流側の部分に、ガイド部が一体に形成されている請求項５記載の熱交換器。
【請求項７】
複数の貫通穴が形成された仕切部の熱交換管とは反対側を向いた面における貫通穴の周囲の部分であって、かつ冷媒が熱交換管に流入するヘッダ部内における熱交換管とは反対側の空間での冷媒の流れ方向下流側の部分に、ガイド部が一体に形成されている請求項５記載の熱交換器。
【請求項８】
貫通穴が、隣り合う熱交換管どうしの間に形成されている請求項３記載の熱交換器。
【請求項９】
冷媒が熱交換管に流入するヘッダ部に設けられた第２部材の仕切部に、熱交換管側に突出しかつ膨出端壁が平坦な複数の膨出部が形成され、少なくとも１つの膨出部の膨出端壁に貫通穴が形成されている請求項１記載の熱交換器。
【請求項１０】
膨出部が、隣り合う熱交換管どうしの間に形成されている請求項９記載の熱交換器。
【請求項１１】
冷媒が熱交換管に流入するヘッダ部に設けられた第２部材の仕切部に、熱交換管側に突出した半球状の膨出部が形成され、少なくとも１つの膨出部に複数の貫通穴が形成されている請求項１記載の熱交換器。
【請求項１２】
冷媒が熱交換管に流入するヘッダ部に設けられた第２部材の仕切部に、熱交換管側に突出するとともにヘッダタンクの幅方向にのびた横断面Ｖ字状の複数の突出部が形成され、突出部のＶ字をなす両壁部に跨って貫通穴が形成されている請求項１記載の熱交換器。
【請求項１３】
冷媒が熱交換管に流入するヘッダ部に設けられた第２部材の仕切部に、熱交換管側に突出するとともにヘッダタンクの幅方向にのびた横断面Ｖ字状の複数の突出部が形成され、突出部のＶ字をなす両壁部に、それぞれ貫通穴が形成されている請求項１記載の熱交換器。
【請求項１４】
第２部材が、連結部を介して設けられた前後２つの水平板状仕切部と、各仕切部の上下方向外側に設けられかつ各ヘッダ部の上下方向外側部分を形成する前後２つのヘッダ形成部とを備えており、各ヘッダ形成部の横断面形状が、上下方向内側に開口するとともに、前後方向中央部が上下方向外側に突出した略Ｕ字状であり、各ヘッダ形成部の前後方向外側縁部が、各仕切部の前後方向外側縁部に一体に連なり、各ヘッダ形成部の前後方向内側縁部が、前後の仕切部間の連結部に係合させられている請求項１記載の熱交換器。
【請求項１５】
第２部材における前後両仕切部間の連結部が水平板状であるとともに、当該連結部に長さ方向に間隔をおいて複数の貫通穴が形成され、各ヘッダ形成部の前後方向内側縁部に、前後方向内方に突出しかつ連結部の上下方向外側面に面接触する水平板状の面接触部が一体に形成され、面接触部の前後方向内側縁部に、上下方向内側に突出し、かつ連結部の全貫通穴のうちの一部分に通される複数の突片が長さ方向に間隔をおいて一体に形成されており、連結部の全貫通穴が、前側ヘッダ形成部の突片が通された貫通穴と、後側ヘッダ形成部の突片が通された貫通穴と、両ヘッダ形成部の突片が通されていない排水用貫通穴とに分けられている請求項１４記載の熱交換器。
【請求項１６】
第２部材の各ヘッダ形成部の面接触部の先端面に、他のヘッダ形成部の面接触部側に突出して当該面接触部に当接する当接片が一体に形成されており、当接片が、両ヘッダ形成部の突片および連結部の排水用貫通穴と干渉しないようになっている請求項１５記載の熱交換器。
【請求項１７】
第２部材が、連結部を介して設けられかつ各ヘッダ部の上下方向外側部分を形成する前後２つのヘッダ形成部と、各ヘッダ形成部の上下方向内側に設けられた前後２つの水平板状仕切部とを備えており、各ヘッダ形成部の横断面形状が、上下方向内側に開口するとともに、前後方向中央部が上下方向外側に突出した略Ｕ字状であり、各仕切部の前後方向外側縁部が、各ヘッダ形成部の前後方向外側縁部に一体に連なり、各仕切部の前後方向内側縁部が、前後のヘッダ形成部間の連結部に係合させられている請求項１記載の熱交換器。
【請求項１８】
第２部材における前後両ヘッダ形成部間の連結部が水平板状であるとともに、当該連結部に長さ方向に間隔をおいて複数の貫通穴が形成され、各仕切部の前後方向内側縁部に、前後方向内方に突出しかつ連結部の上下方向内側面に面接触する水平板状の面接触部が一体に形成され、面接触部の前後方向内側縁部に、上下方向外側に突出し、かつ連結部の全貫通穴のうちの一部分に通される複数の突片が長さ方向に間隔をおいて一体に形成されており、連結部の全貫通穴が、前側仕切部の突片が通された貫通穴と、後側仕切部の突片が通された貫通穴と、両仕切部の突片が通されていない排水用貫通穴とに分けられている請求項１７記載の熱交換器。
【請求項１９】
第２部材の各仕切部の面接触部の先端面に、他の仕切部の面接触部側に突出して当該面接触部に当接する当接片が一体に形成されており、当接片が、両仕切部の突片および連結部の排水用貫通穴と干渉しないようになっている請求項１８記載の熱交換器。
【請求項２０】
第２部材の前後両側縁部に、第１部材の前後両側縁部が当接する被当接部が形成されている請求項１記載の熱交換器。
【請求項２１】
第２部材が、連結部を介して設けられかつ各ヘッダ部の上下方向外側部分を形成する前後２つのヘッダ形成部と、各ヘッダ形成部の上下方向内側に設けられかつ連結部を介して相互に連なった前後２つの水平板状仕切部とを備えており、各ヘッダ形成部の横断面形状が、上下方向内側に開口するとともに、前後方向中央部が上下方向外側に突出した略Ｕ字状であり、前後いずれか一方の仕切部の前後方向外側縁部が、当該仕切部により上下２つの空間に仕切られるヘッダ部を形成するヘッダ形成部の前後方向外側縁部に一体に連なり、同他方の仕切部の前後方向外側縁部が、当該仕切部により上下２つの空間に仕切られるヘッダ部を形成するヘッダ形成部の前後方向外側縁部に係合させられている請求項１記載の熱交換器。
【請求項２２】
一方のヘッダタンクの前ヘッダ部が冷媒入口ヘッダ部、同じく後ヘッダ部が冷媒出口ヘッダ部であり、他方のヘッダタンクの前ヘッダ部が第１中間ヘッダ部、同じく後ヘッダ部が第２中間ヘッダ部であり、冷媒入口ヘッダ部の一端部に冷媒入口が形成されるとともに、冷媒出口ヘッダ部における冷媒入口と同一端に冷媒出口が形成され、冷媒入口ヘッダ部および第２中間ヘッダ部が、それぞれ冷媒が熱交換管に流入するヘッダ部となっている請求項１記載の熱交換器。
【請求項２３】
冷媒入口ヘッダ部の２つの空間が、仕切部における冷媒入口および冷媒出口とは反対側の端部に形成された連通穴を介して連通させられ、第１中間ヘッダ部の上下方向外側の空間と、第２中間ヘッダ部の上下方向外側の空間とが、ヘッダタンクの長さ方向の一端部に設けられた連通部を介して通じさせられている請求項２２記載の熱交換器。
【発明の詳細な説明】
【技術分野】
【０００１】
この発明は、たとえば自動車に搭載される冷凍サイクルであるカーエアコンのエバポレータに好適に使用される熱交換器に関する。【０００２】
この明細書および特許請求の範囲において、図２の上下、左右を上下、左右といい、隣接する熱交換管どうしの間の通風間隙を流れる空気の下流側（図１および図３に矢印Ｘで示す方向）を前、これと反対側を後というものとする。
【背景技術】
【０００３】
小型軽量化および高性能化を満たしたカーエアコン用エバポレータとして、本出願人は、先に、上下方向に互いに間隔をおいて配置された１対のヘッダタンク間に、ヘッダタンクの長さ方向に間隔をおいて配置されるとともに両端部が両ヘッダタンクに接続された複数の熱交換管からなる熱交換管群が、前後方向に間隔をおいて複数列設けられており、各ヘッダタンクが、前後方向に並んで設けられるとともに相互に一体化された２つのヘッダ部を備え、各ヘッダタンクが、すべての熱交換管が接続されたアルミニウムブレージングシート製第１部材と、第１部材に接合されかつ第１部材における熱交換管とは反対側を覆うアルミニウム押出形材製第２部材とを備えており、両ヘッダタンクの各ヘッダ部どうしの間に、それぞれ１列の熱交換管群が設けられ、上側ヘッダタンクの前ヘッダ部が冷媒入口ヘッダ部、同じく後ヘッダ部が冷媒出口ヘッダ部であり、下側ヘッダタンクの前ヘッダ部が第１中間ヘッダ部、同じく後ヘッダ部が第２中間ヘッダ部であり、冷媒入口ヘッダ部の一端部に冷媒入口が形成されるとともに、冷媒出口ヘッダ部における冷媒入口と同一端に冷媒出口が形成され、冷媒入口ヘッダ部内、冷媒出口ヘッダ部内および第２中間ヘッダ部内が、それぞれ第２部材に一体に形成された仕切部により上下２つの空間に仕切られ、冷媒入口ヘッダ部内の上下２つの空間が、冷媒入口および冷媒出口とは反対側の端部において仕切部に形成された連通穴により通じさせられるとともに、仕切部に長さ方向に間隔をおいて形成された複数の冷媒通過用貫通穴により通じさせられ、冷媒出口ヘッダ部内および第２中間ヘッダ部内の上下２つの空間が、それぞれ仕切部に形成された冷媒通過用貫通穴により通じさせられ、第１中間ヘッダ内の空間と第２中間ヘッダ部内の下部空間とが、ヘッダタンクの長さ方向の一端部に設けられた連通部を介して通じさせられ、第２部材がアルミニウム押出形材により形成されている熱交換器を提案した（特許文献１参照）。【０００４】
ところで、特許文献１記載の熱交換器の熱交換性能を向上させる場合、熱交換器を通過してきた空気の温度である吐気温が熱交換器の各部において均一化されるように、すべての熱交換管への冷媒の分流を制御する必要がある。そして、すべての熱交換管への冷媒の分流を制御するには、冷媒入口ヘッダ部内の上部空間から下部空間への冷媒の流れ、冷媒入口ヘッダ部内の下部空間から前側熱交換管群の全熱交換管への冷媒の流れ、第２中間ヘッダ部内の上部空間から後側熱交換管群の全熱交換管への流れを適宜制御する必要があり、そのためには冷媒入口ヘッダ部および第２中間ヘッダ部の仕切部の形状を複雑な形状にしたり、冷媒入口ヘッダ部および第２中間ヘッダ部の仕切部の貫通穴の周囲に熱交換管側に突出したフランジを形成することが効果的である。【０００５】
しかしながら、特許文献１記載の熱交換器においては、仕切部が一体に形成された第２部材はアルミニウム押出形材製であるから、仕切部は平坦な板状にしか形成することができず、しかも貫通穴は仕切部にプレス加工を施すことにより形成されているので、貫通穴の周囲に熱交換管側に突出したフランジを形成することはできない。したがって、特許文献１記載の熱交換器において、すべての熱交換管への冷媒の分流を制御して、熱交換器を通過してきた空気の温度である吐気温を熱交換器の各部において均一化するには、別部品を設ける必要があり、部品点数が多くなるとともに、製造作業が面倒になるという問題がある。
【特許文献１】特開２００６−１８３９９４号公報
【発明の開示】
【発明が解決しようとする課題】
【０００６】
この発明の目的は、上記問題を解決し、部品点数が少なくて済むとともに、製造作業が容易な熱交換器を提供することにある。
【課題を解決するための手段】
【０００７】
本発明は、上記目的を達成するために以下の態様からなる。【０００８】
1)互いに間隔をおいて配置された１対のヘッダタンク間に、ヘッダタンクの長さ方向に間隔をおいて配置されるとともに両端部が両ヘッダタンクに接続された複数の熱交換管からなる熱交換管群が、前後方向に間隔をおいて複数列設けられており、各ヘッダタンクが、前後方向に並んで設けられるとともに相互に一体化された２つのヘッダ部を備え、各ヘッダタンクが、熱交換管が接続された第１部材と、第１部材に接合されかつ第１部材における熱交換管とは反対側を覆う第２部材とを備えており、両ヘッダタンクの各ヘッダ部どうしの間に、それぞれ少なくとも１列の熱交換管群が設けられている熱交換器において、
少なくともいずれか一方のヘッダタンクの第２部材が、金属板を曲げることにより形成されており、金属板を曲げることにより形成された第２部材に、各ヘッダ部内を上下２つの空間に仕切る仕切部が設けられ、各仕切部に、各ヘッダ部内の上下２つの空間を通じさせる貫通穴が形成されている熱交換器。【０００９】
2)両ヘッダタンクの第２部材が、それぞれ金属板を曲げることにより形成されている上記1)記載の熱交換器。【００１０】
3)冷媒が熱交換管に流入するヘッダ部に設けられた第２部材の仕切部に、複数の貫通穴が形成されている上記1)記載の熱交換器。【００１１】
4)複数の貫通穴が形成された仕切部の熱交換管側を向いた面における貫通穴の周囲の部分に、熱交換管側に突出したフランジが一体に形成されている上記3)記載の熱交換器。【００１２】
5)複数の貫通穴が形成された仕切部の片面における貫通穴の周囲の部分に、熱交換管とは反対側の空間から熱交換管に向かって冷媒を案内するガイド部が一体に形成されている上記3)記載の熱交換器。【００１３】
6)複数の貫通穴が形成された仕切部の熱交換管側を向いた面における貫通穴の周囲の部分であって、かつ冷媒が熱交換管に流入するヘッダ部内における熱交換管とは反対側の空間での冷媒の流れ方向上流側の部分に、ガイド部が一体に形成されている上記5)記載の熱交換器。【００１４】
7)複数の貫通穴が形成された仕切部の熱交換管とは反対側を向いた面における貫通穴の周囲の部分であって、かつ冷媒が熱交換管に流入するヘッダ部内における熱交換管とは反対側の空間での冷媒の流れ方向下流側の部分に、ガイド部が一体に形成されている上記5)記載の熱交換器。【００１５】
8)貫通穴が、隣り合う熱交換管どうしの間に形成されている上記3)記載の熱交換器。【００１６】
9)冷媒が熱交換管に流入するヘッダ部に設けられた第２部材の仕切部に、熱交換管側に突出しかつ膨出端壁が平坦な複数の膨出部が形成され、少なくとも１つの膨出部の膨出端壁に貫通穴が形成されている上記1)記載の熱交換器。【００１７】
10)膨出部が、隣り合う熱交換管どうしの間に形成されている上記9)記載の熱交換器。【００１８】
11)冷媒が熱交換管に流入するヘッダ部に設けられた第２部材の仕切部に、熱交換管側に突出した半球状の膨出部が形成され、少なくとも１つの膨出部に複数の貫通穴が形成されている上記1)記載の熱交換器。【００１９】
12)冷媒が熱交換管に流入するヘッダ部に設けられた第２部材の仕切部に、熱交換管側に突出するとともにヘッダタンクの幅方向にのびた横断面Ｖ字状の複数の突出部が形成され、突出部のＶ字をなす両壁部に跨って貫通穴が形成されている上記1)記載の熱交換器。【００２０】
13)冷媒が熱交換管に流入するヘッダ部に設けられた第２部材の仕切部に、熱交換管側に突出するとともにヘッダタンクの幅方向にのびた横断面Ｖ字状の複数の突出部が形成され、突出部のＶ字をなす両壁部に、それぞれ貫通穴が形成されている上記1)記載の熱交換器。【００２１】
14)第２部材が、連結部を介して設けられた前後２つの水平板状仕切部と、各仕切部の上下方向外側に設けられかつ各ヘッダ部の上下方向外側部分を形成する前後２つのヘッダ形成部とを備えており、各ヘッダ形成部の横断面形状が、上下方向内側に開口するとともに、前後方向中央部が上下方向外側に突出した略Ｕ字状であり、各ヘッダ形成部の前後方向外側縁部が、各仕切部の前後方向外側縁部に一体に連なり、各ヘッダ形成部の前後方向内側縁部が、前後の仕切部間の連結部に係合させられている上記1)記載の熱交換器。【００２２】
15)第２部材における前後両仕切部間の連結部が水平板状であるとともに、当該連結部に長さ方向に間隔をおいて複数の貫通穴が形成され、各ヘッダ形成部の前後方向内側縁部に、前後方向内方に突出しかつ連結部の上下方向外側面に面接触する水平板状の面接触部が一体に形成され、面接触部の前後方向内側縁部に、上下方向内側に突出し、かつ連結部の全貫通穴のうちの一部分に通される複数の突片が長さ方向に間隔をおいて一体に形成されており、連結部の全貫通穴が、前側ヘッダ形成部の突片が通された貫通穴と、後側ヘッダ形成部の突片が通された貫通穴と、両ヘッダ形成部の突片が通されていない排水用貫通穴とに分けられている上記14)記載の熱交換器。【００２３】
16)第２部材の各ヘッダ形成部の面接触部の先端面に、他のヘッダ形成部の面接触部側に突出して当該面接触部に当接する当接片が一体に形成されており、当接片が、両ヘッダ形成部の突片および連結部の排水用貫通穴と干渉しないようになっている上記15)記載の熱交換器。【００２４】
17)第２部材が、連結部を介して設けられかつ各ヘッダ部の上下方向外側部分を形成する前後２つのヘッダ形成部と、各ヘッダ形成部の上下方向内側に設けられた前後２つの水平板状仕切部とを備えており、各ヘッダ形成部の横断面形状が、上下方向内側に開口するとともに、前後方向中央部が上下方向外側に突出した略Ｕ字状であり、各仕切部の前後方向外側縁部が、各ヘッダ形成部の前後方向外側縁部に一体に連なり、各仕切部の前後方向内側縁部が、前後のヘッダ形成部間の連結部に係合させられている上記1)記載の熱交換器。【００２５】
18)第２部材における前後両ヘッダ形成部間の連結部が水平板状であるとともに、当該連結部に長さ方向に間隔をおいて複数の貫通穴が形成され、各仕切部の前後方向内側縁部に、前後方向内方に突出しかつ連結部の上下方向内側面に面接触する水平板状の面接触部が一体に形成され、面接触部の前後方向内側縁部に、上下方向外側に突出し、かつ連結部の全貫通穴のうちの一部分に通される複数の突片が長さ方向に間隔をおいて一体に形成されており、連結部の全貫通穴が、前側仕切部の突片が通された貫通穴と、後側仕切部の突片が通された貫通穴と、両仕切部の突片が通されていない排水用貫通穴とに分けられている上記17)記載の熱交換器。【００２６】
19)第２部材の各仕切部の面接触部の先端面に、他の仕切部の面接触部側に突出して当該面接触部に当接する当接片が一体に形成されており、当接片が、両仕切部の突片および連結部の排水用貫通穴と干渉しないようになっている上記18)記載の熱交換器。【００２７】
20)第２部材の前後両側縁部に、第１部材の前後両側縁部が当接する被当接部が形成されている上記1)記載の熱交換器。【００２８】
21)第２部材が、連結部を介して設けられかつ各ヘッダ部の上下方向外側部分を形成する前後２つのヘッダ形成部と、各ヘッダ形成部の上下方向内側に設けられかつ連結部を介して相互に連なった前後２つの水平板状仕切部とを備えており、各ヘッダ形成部の横断面形状が、上下方向内側に開口するとともに、前後方向中央部が上下方向外側に突出した略Ｕ字状であり、前後いずれか一方の仕切部の前後方向外側縁部が、当該仕切部により上下２つの空間に仕切られるヘッダ部を形成するヘッダ形成部の前後方向外側縁部に一体に連なり、同他方の仕切部の前後方向外側縁部が、当該仕切部により上下２つの空間に仕切られるヘッダ部を形成するヘッダ形成部の前後方向外側縁部に係合させられている上記1)記載の熱交換器。【００２９】
22)一方のヘッダタンクの前ヘッダ部が冷媒入口ヘッダ部、同じく後ヘッダ部が冷媒出口ヘッダ部であり、他方のヘッダタンクの前ヘッダ部が第１中間ヘッダ部、同じく後ヘッダ部が第２中間ヘッダ部であり、冷媒入口ヘッダ部の一端部に冷媒入口が形成されるとともに、冷媒出口ヘッダ部における冷媒入口と同一端に冷媒出口が形成され、冷媒入口ヘッダ部および第２中間ヘッダ部が、それぞれ冷媒が熱交換管に流入するヘッダ部となっている上記1)記載の熱交換器。【００３０】
23)冷媒入口ヘッダ部の２つの空間が、仕切部における冷媒入口および冷媒出口とは反対側の端部に形成された連通穴を介して連通させられ、第１中間ヘッダ部の上下方向外側の空間と、第２中間ヘッダ部の上下方向外側の空間とが、ヘッダタンクの長さ方向の一端部に設けられた連通部を介して通じさせられている上記22)記載の熱交換器。
【発明の効果】
【００３１】
上記1)の熱交換器によれば、少なくともいずれか一方のヘッダタンクの第２部材が、金属板を曲げることにより形成されており、金属板を曲げることにより形成された第２部材に、各ヘッダ部内を上下２つの空間に仕切る仕切部が設けられ、各仕切部に、各ヘッダ部内の上下２つの空間を通じさせる貫通穴が形成されているので、第２部材を形成する前の素材の段階の金属板に加工を施すことにより、仕切部の形状を比較的簡単に複雑な形状にすることができる。したがって、仕切部の形状を、すべての熱交換管への冷媒の分流を制御して、熱交換器を通過してきた空気の温度である吐気温を熱交換器の各部において均一化するのに適した形状にすることができる。その結果、別部品を設ける必要がなくなり、部品点数が少なくなるとともに、製造作業が容易になる。【００３２】
上記2)の熱交換器によれば、上記1)の効果が一層向上する。【００３３】
上記3)の熱交換器によれば、冷媒が熱交換管に流入するヘッダ部に設けられた第２部材の仕切部に、複数の貫通穴が形成されているので、熱交換器を通過してきた空気の温度である吐気温を熱交換器の各部において均一化しうるように、当該ヘッダ部における熱交換管側の空間から当該ヘッダ部に通じる全熱交換管への分流を制御することが可能になる。【００３４】
上記4)の熱交換器によれば、仕切部の熱交換管側を向いた面における貫通穴の周囲の部分に、熱交換管側に突出したフランジが一体に形成されているので、フランジの働きにより、熱交換器を通過してきた空気の温度である吐気温を熱交換器の各部において均一化しうるように、当該ヘッダ部における熱交換管側の空間から当該ヘッダ部に通じる全熱交換管への分流を制御することが可能になる。【００３５】
上記5)〜7)の熱交換器によれば、ガイド部の働きにより、上記3)の効果が一層向上する。【００３６】
上記6)の熱交換器によれば、冷媒が熱交換管に流入するヘッダ部内における熱交換管側の空間での冷媒の流れ方向に対し、ガイド部により逆向きの冷媒の流れを生じさせることができるので、ヘッダ部内における熱交換管側の空間での冷媒のミキシングによる分流均一化が可能になる。【００３７】
上記8)の熱交換器によれば、上記3)〜7)の効果が一層向上する。【００３８】
上記9)の熱交換器によれば、仕切部における冷媒が熱交換管に流入するヘッダ部内に存在する部分に、熱交換管側に突出しかつ膨出端壁が平坦な複数の膨出部が形成され、少なくとも１つの膨出部の膨出端壁に貫通穴が形成されているので、膨出部の働きにより、熱交換器を通過してきた空気の温度である吐気温を熱交換器の各部において均一化しうるように、当該ヘッダ部における熱交換管側の空間から当該ヘッダ部に通じる全熱交換管への分流を制御することが可能になる。【００３９】
上記10)の熱交換器によれば、上記9)の効果が一層向上する。【００４０】
上記11)の熱交換器によれば、仕切部における冷媒が熱交換管に流入するヘッダ部内に存在する部分に、熱交換管側に突出した半球状の膨出部が形成され、少なくとも１つの膨出部に複数の貫通穴が形成されているので、膨出部の働きにより、熱交換器を通過してきた空気の温度である吐気温を熱交換器の各部において均一化しうるように、当該ヘッダ部における熱交換管側の空間から当該ヘッダ部に通じる全熱交換管への分流を制御することが可能になる。【００４１】
上記12)および13)の熱交換器によれば、仕切部における冷媒が熱交換管に流入するヘッダ部内に存在する部分に、熱交換管側に突出するとともにヘッダタンクの幅方向にのびた横断面Ｖ字状の複数の突出部が形成され、突出部のＶ字をなす両壁部に跨って貫通穴が形成されているので、突出部の働きにより、熱交換器を通過してきた空気の温度である吐気温を熱交換器の各部において均一化しうるように、当該ヘッダ部における熱交換管側の空間から当該ヘッダ部に通じる全熱交換管への分流を制御することが可能になる。【００４２】
上記15)の熱交換器によれば、この熱交換器をエバポレータとして使用した場合に、各ヘッダタンクの２つのヘッダ部間に溜まる凝縮水の排水性が向上する。【００４３】
上記16)の熱交換器によれば、金属板を曲げることにより第２部材を形成する際に、両ヘッダ部間の間隔を確保して両ヘッダ部の形状の精度を高めることができる。【００４４】
上記18)の熱交換器によれば、この熱交換器をエバポレータとして使用した場合に、各ヘッダタンクの２つのヘッダ部間に溜まる凝縮水の排水性が向上する。【００４５】
上記19)の熱交換器によれば、金属板を曲げることにより第２部材を形成する際に、第２部材の形状の精度を高めることができる。【００４６】
上記20)の熱交換器によれば、製造の際に、第１部材と第２部材との位置決めを簡単に行うことができる。
【発明を実施するための最良の形態】
【００４７】
以下、この発明の実施形態を、図面を参照して説明する。以下に述べる実施形態は、この発明による熱交換器を、フロン系冷媒を使用するカーエアコンのエバポレータに適用したものである。【００４８】
なお、以下の説明において、「アルミニウム」という用語には、純アルミニウムの他にアルミニウム合金を含むものとする。【００４９】
また、全図面を通じて同一部分および同一物には同一符号を付して重複する説明を省略する。【００５０】
図１および図２はエバポレータの全体構成を示し、図３〜図１６はエバポレータの要部の構成を示す。【００５１】
図１〜図３に示すように、エバポレータ(1)は、上下方向に間隔をおいて配置されたアルミニウム製冷媒入出用ヘッダタンク(2)とアルミニウム製冷媒ターン用ヘッダタンク(3)との間に熱交換コア部(4)が設けられたものである。【００５２】
冷媒入出用ヘッダタンク(2)は、前側（通風方向下流側）に位置する冷媒入口ヘッダ部(5)と、後側（通風方向上流側）に位置する冷媒出口ヘッダ部(6)と、両ヘッダ部(5)(6)を相互に連結一体化する連結部(7)とを備えている。冷媒入出用ヘッダタンク(2)の冷媒入口ヘッダ部(5)にアルミニウム製冷媒入口管(8)が接続され、同じく冷媒出口ヘッダ部(6)にアルミニウム製冷媒出口管(9)が接続されている。【００５３】
冷媒ターン用ヘッダタンク(3)は、前側に位置する第１中間ヘッダ部(11)と、後側に位置する第２中間ヘッダ部(12)と、両ヘッダ部(11)(12)を相互に連結一体化する連結部(13)とを備えており、両ヘッダ部(11)(12)と連結部(13)とにより排水樋(14)が形成されている。冷媒入出用ヘッダタンク(2)および冷媒ターン用ヘッダタンク(3)の周壁の横断面形状は同一であり、互いに上下逆向きに配置されている。【００５４】
熱交換コア部(4)は、左右方向に間隔をおいて並列状に配置された複数の熱交換管(15)からなる熱交換管群(16)が、前後方向に並んで複数列、ここでは２列配置され、各熱交換管群(16)の隣接する熱交換管(15)どうしの間の通風間隙、および各熱交換管群(16)の左右両端の熱交換管(15)の外側にそれぞれコルゲートフィン(17)が配置されて熱交換管(15)にろう付され、さらに左右両端のコルゲートフィン(17)の外側にそれぞれアルミニウム製サイドプレート(18)が配置されてコルゲートフィン(17)にろう付されることにより構成されている。そして、前側熱交換管群(16)の熱交換管(15)の上下両端は冷媒入口ヘッダ部(5)および第１中間ヘッダ部(11)に接続され、後側熱交換管群(16)の熱交換管(15)の上下両端部は冷媒出口ヘッダ部(6)および第２中間ヘッダ部(12)に接続されている。ここで、冷媒入口ヘッダ部(5)および第２中間ヘッダ部(12)が、熱交換管(15)に冷媒が流入する側のヘッダ部である。【００５５】
熱交換管(15)はアルミニウム押出形材で形成されたベア材からなり、幅方向を前後方向に向けて配置されるとともに幅方向に並んだ複数の冷媒通路を有する扁平状である。コルゲートフィン(17)は両面にろう材層を有するアルミニウムブレージングシートを用いて波状に形成されたものであり、波頂部、波底部および波頂部と波底部とを連結する水平状連結部よりなり、連結部に複数のルーバが前後方向に並んで形成されている。コルゲートフィン(17)は、前後の熱交換管群(16)を構成する前後両熱交換管(15)に共有されており、その前後方向の幅は前側熱交換管(15)の前側縁と後側熱交換管(15)の後側縁との間隔をほぼ等しくなっている。そして、コルゲートフィン(17)の波頂部および波底部は、前後の熱交換管にろう付されている。コルゲートフィン(17)の前側縁は前側熱交換管(15)の前側縁よりも若干前方に突出している。なお、１つのコルゲートフィンが前後両熱交換管群(16)に共有される代わりに、両熱交換管群(16)の隣り合う熱交換管(15)どうしの間にそれぞれコルゲートフィンが配置されていてもよい。【００５６】
図３〜図９に示すように、冷媒入出用ヘッダタンク(2)は、両面にろう材層を有するアルミニウムブレージングシートから形成されかつすべての熱交換管(15)が接続されたプレート状の第１部材(21)と、両面にろう材層を有するアルミニウムブレージングシートから形成されかつ第１部材(21)の上側（熱交換管(15)とは反対側）を覆う第２部材(22)と、両面にろう材層を有するアルミニウムブレージングシートから形成されかつ両部材(21)(22)の左右両端にろう付されたアルミニウム製端部材(23)(24)とよりなり、右端部材(24)の外面に、冷媒入口ヘッダ部(5)および冷媒出口ヘッダ部(6)に跨るように、前後方向に長いアルミニウム製のジョイントプレート(25)がろう付されている。ジョイントプレート(25)に、冷媒入口管(8)および冷媒出口管(9)が接続されている。【００５７】
第１部材(21)は、冷媒入口ヘッダ部(5)の下部を形成する下方膨出状の第１ヘッダ形成部(26)と、冷媒出口ヘッダ部(6)の下部を形成する下方膨出状の第２ヘッダ形成部(27)と、第１ヘッダ形成部(26)の後側縁部と第２ヘッダ形成部(27)の前側縁部とを連結しかつ連結部(7)の下部を形成する連結壁(28)とよりなる。第１ヘッダ形成部(26)は、水平平坦状の底壁(29)と、底壁(29)の前後両側縁部に一体に形成された前後両側壁(31)(32)とからなる。前側壁(31)は、底壁(29)の前縁に連なりかつ上方に向かって前方に傾斜した傾斜部(31a)と、傾斜部(31a)の上縁に連なって上方に伸びた垂直部(31b)とよりなる。後側壁(32)は、上方に向かって後方に傾斜しかつその上端部が垂直状となっている。前側壁(31)の上端は後側壁(32)の上端よりも上方に位置している。第２ヘッダ形成部(27)は、第１ヘッダ形成部(26)とは左右対称形であって、水平平坦状底壁(33)と、底壁(33)の後側縁部および前側縁部に一体に形成された後側壁(34)および前側壁(35)とからなる。後側壁(34)は、底壁(33)の後縁に連なりかつ上方に向かって後方に傾斜した傾斜部(34a)と、傾斜部(34a)の上縁に連なった垂直部(34b)とよりなる。前側壁(35)は、上方に向かって前方に傾斜しかつその上端部が垂直状となっている。後側壁(34)の上端は前側壁(35)の上端よりも上方に位置している。そして、第１ヘッダ形成部(26)の後側壁(32)上縁と第２ヘッダ形成部(27)の前側壁(35)上縁とが連結壁(28)により一体に連結されている。【００５８】
第１部材(21)の両ヘッダ形成部(26)(27)に、それぞれ前後方向に長い複数の管挿通穴(36)が、左右方向に間隔をおきかつ左右方向に関して同一位置に来るように形成されている。第１ヘッダ形成部(26)の管挿通穴(36)は前側壁(31)の傾斜部(31a)から後側壁(32)にかけて形成され、第２ヘッダ形成部(27)の管挿通穴(36)は後側壁(34)の傾斜部(34a)から前側壁(35)にかけて形成されている。両ヘッダ形成部(26)(27)の管挿通穴(36)に、熱交換コア部(4)の前後両熱交換管群(16)の熱交換管(15)の上端部が挿入され、第１部材(21)のろう材層を利用して第１部材(21)にろう付されており、これにより前側熱交換管群(16)の熱交換管(15)の上端部が冷媒入口ヘッダ部(5)に、後側熱交換管群(16)の熱交換管(15)の上端部が冷媒出口ヘッダ部(6)にそれぞれ連通状に接続されている。第１部材(21)の連結壁(28)に、左右方向に長い複数の排水用貫通穴(37)が左右方向に間隔をおいて形成されている。また、第１部材(21)の連結壁(28)に、複数の固定用貫通穴(38)が、排水用貫通穴(37)からずれた位置に来るように左右方向に間隔をおいて形成されている。ここでは、排水用貫通穴(37)と固定用貫通穴(38)とが交互に形成されている。【００５９】
第２部材(22)は、冷媒入口ヘッダ部(5)内および冷媒出口ヘッダ部(6)内をそれぞれ上下２つの空間(5a)(5b)(6a)(6b)に仕切る前後２つの水平板状仕切部(41)(42)と、前後両仕切部(41)(42)どうしを一体に連結し、かつ第１部材(21)の連結壁(28)にろう付されて連結部(7)の中間部を形成する連結壁(43)（連結部）と、前側の仕切部(41)の上方に設けられかつ冷媒入口ヘッダ部(5)の上部を形成する上方膨出状の第１ヘッダ形成部(44)と、後側の仕切部(42)の上方に設けられかつ冷媒出口ヘッダ部(6)の上部を形成する上方膨出状の第２ヘッダ形成部(45)とを備えている。【００６０】
第２部材(22)の前側仕切部(41)にはその左端から切り欠き(46)が形成されている。また、仕切部(41)の前後方向の中間部には、冷媒入口ヘッダ部(5)の上下両空間(5a)(5b)を通じさせる複数の冷媒通過用円形貫通穴(47)が、左右方向に間隔をおいて形成されている。仕切部(41)の下面（熱交換管(15)側を向いた面）における貫通穴(47)の周囲の部分に、下方（熱交換管(15)側）に突出した短円筒状のフランジ(48)が一体に形成されている。貫通穴(47)およびフランジ(48)は、隣り合う２本の熱交換管(15)どうしの間に形成されている。また、第２部材(22)の後側仕切部(42)の後側部分における左右両端部を除いた部分には、左右方向に長くかつ出口ヘッダ部(6)の上下両空間(6a)(6b)を通じさせる複数の冷媒通過用長円形貫通穴(51A)(51B)が、左右方向に間隔をおいて形成されている。仕切部(42)の上面における貫通穴(51A)(51B)の周囲の部分に、上方に突出した短筒状のフランジ(52A)(52B)が一体に形成されている。中央部の長円形貫通穴(51A)の長さは他の長円形貫通穴(51B)の長さよりも短く、隣り合う熱交換管(15)間に位置している。【００６１】
第２部材(22)の連結壁(43)には、複数の排水用貫通穴(53)および複数の固定用貫通穴(54)が、それぞれ第１部材(21)の連結壁(28)の排水用貫通穴(37)および固定用貫通穴(38)と合致するように形成されている。【００６２】
第２部材(22)の第１ヘッダ形成部(44)の横断面形状は、下方（上下方向内側）に開口するとともに、前後方向中央部が上方（上下方向外側）に突出した横断面略Ｕ字状であり、前側縁部（前後方向外側縁部）が前側仕切部(41)の前側縁部（前後方向外側縁部）に連なって一体に形成されている。第１ヘッダ形成部(44)の後側縁部（前後方向内側縁部）は後方に屈曲されており、これにより連結壁(43)の上面の前半部に面接触状態でろう付された水平な面接触部(55)が形成されている。面接触部(55)の後側縁は、連結壁(43)の排水用貫通穴(53)および固定用貫通穴(54)を塞がないような位置にある。面接触部(55)の後側縁に、下方に突出しかつ第２部材(22)の連結壁(43)および第１部材(21)の連結壁(28)の固定用貫通穴(54)(38)に通されて両連結壁(43)(28)にろう付された複数の突片(56)が左右方向に間隔をおいて形成されている（図１３参照）。また、面接触部(55)の後側縁に、後方に突出しかつ後述する第２ヘッダ形成部(45)の面接触部(61)の前側縁に当接して面接触部(61)にろう付された複数の当接片(57)が一体に形成されている。当接片(57)は、第１および第２部材(21)(22)の排水用貫通穴(37)(53)および固定用貫通穴(38)(54)とは左右方向にずれて、これらの貫通穴(37)(53)(38)(54)と干渉しないように形成されている。第１ヘッダ形成部(44)の前側壁部分の下端部はその全長にわたって後方に変形させられており、これにより第１ヘッダ形成部(44)の前側縁部に、第１部材(21)の第１ヘッダ形成部(26)における前側壁(31)の垂直部(31b)上端が当接する被当接部(58)が、第１ヘッダ形成部(44)の全長にわたって形成されている。【００６３】
第２部材(22)の第２ヘッダ形成部(45)は、第１ヘッダ形成部(44)とは左右対称形であって、下方（上下方向内側）に開口するとともに、前後方向中央部が上方（上下方向外側）に突出した横断面略Ｕ字状であり、後側縁部（前後方向外側縁部）が後側仕切部(42)の後側縁部（前後方向外側縁部）に連なって一体に形成されている。第２ヘッダ形成部(45)の前側縁部（前後方向内側縁部）は前方に屈曲されており、これにより連結壁(43)の上面の後半部に面接触状態でろう付された水平な面接触部(61)が形成されている。面接触部(61)の前側縁は、連結壁(43)の排水用貫通穴(53)および固定用貫通穴(54)を塞がないような位置にある。面接触部(61)の前側縁に、下方に突出しかつ第２部材(22)の連結壁(43)および第１部材(21)の連結壁(28)の固定用貫通穴(54)(38)に通されて両連結壁(43)(28)にろう付された複数の突片(62)が左右方向に間隔をおいて形成されている。両ヘッダ形成部(44)(45)の突片(56)(62)は、左右方向に交互に固定用貫通穴(54)(38)に通されている。また、面接触部(61)の前側縁に、前方に突出しかつ第１ヘッダ形成部(44)の面接触部(55)の前側縁に当接して面接触部(55)にろう付された複数の当接片(63)が一体に形成されている。当接片(63)は、第１および第２部材(21)(22)の排水用貫通穴(37)(53)および固定用貫通穴(38)(54)とは左右方向にずれて、これらの貫通穴(37)(53)(38)(54)と干渉しないように形成されている。第２ヘッダ形成部(45)の後側壁部分の下端部はその全長にわたって前方に変形させられており、これにより第２ヘッダ形成部(45)の後側縁部に、第１部材(21)の第２ヘッダ形成部(27)における後側壁(34)の垂直部(34b)上端が当接する被当接部(64)が、第２ヘッダ形成部(45)の全長にわたって形成されている。【００６４】
第２部材(22)は、両面にろう材層を有するアルミニウムブレージングシートからなる素板に加工を施して、連結壁(43)、切り欠き(46)、円形貫通穴(47)、フランジ(48)、長円形貫通穴(51A)(51B)、フランジ(52A)(52B)、排水用貫通穴(53)、固定用貫通穴(54)、面接触部(55)(61)、突片(56)(62)、当接片(57)(63)および被当接部(58)(64)を形成した後、素板を適当な方法で曲げ、両仕切部(41)(42)、ならびに第１および第２ヘッダ形成部(44)(45)を形成するとともに（図１０参照）、突片(56)(62)を固定用貫通穴(54)に通し（図１１参照）、この半製品の所定部分をろう付することによりつくられる。なお、半製品の所定部分のろう付は、エバポレータ(1)を製造する際の他の部品のろう付と同時に行われる。【００６５】
そして、第１部材(21)の第１ヘッダ形成部(26)と第２部材(22)の第１ヘッダ形成部(44)とによって、両端が開口した中空状の入口ヘッダ部本体(65)が形成され、第１部材(21)の第２ヘッダ形成部(27)と第２部材(22)の第２ヘッダ形成部(45)とによって、両端が開口した中空状の出口ヘッダ部本体(66)が形成されている。【００６６】
左端部材(23)は、入口ヘッダ部本体(65)の左端開口を閉鎖する前キャップ(23a)と、出口ヘッダ部本体(66)の左端開口を閉鎖する後キャップ(23b)とが連結部(23c)を介して一体化されたものである。左端部材(23)の前キャップ(23a)には、入口ヘッダ部本体(65)内に嵌め入れられる上下２つの右方突出部(67)が上下に間隔をおいて一体に形成され、同じく後キャップ(23b)には、出口ヘッダ部本体(66)の仕切部(42)よりも上側の空間(6a)内に嵌め入れられる上側右方突出部(68)と、分流制御壁(42)よりも下側の空間(6b)内に嵌め入れられる下側右方突出部(69)とが上下に間隔をおいて一体に形成されている。また、左端部材(23)の前後両側縁と上縁および下縁との間の連接部に、それぞれ右方に突出して両部材(21)(22)に係合する係合爪(71)が一体に形成されている。左端部材(23)は、自身のろう材層を利用して両部材(21)(22)にろう付されている。そして、前側仕切部(41)の切り欠き(46)の左端開口が左端部材(23)の前キャップ(23a)により閉じられ、これにより入口ヘッダ部(5)の上下両空間(5a)(5b)を左端部において相互に連通させる連通穴(72)が形成されている。なお、ここでは連通穴(72)は、切り欠き(46)の左端開口を前キャップ(23a)により閉じることによって形成されているが、これに代えて、切り欠きを形成せず、前側仕切部の左端部に貫通穴を形成することにより連通穴が設けられていてもよい。【００６７】
右端部材(24)は、入口ヘッダ部本体(65)の右端開口を閉鎖する前キャップ(24a)と、出口ヘッダ部本体(66)の右端開口を閉鎖する後キャップ(24b)とが連結部(24c)を介して一体化されたものである。右端部材(24)の前キャップ(24a)には、入口ヘッダ部本体(65)の前側仕切部(41)よりも上側の空間(5a)内に嵌め入れられる上側左方突出部(73)と、前側仕切部(41)よりも下側の空間(5b)内に嵌め入れられる下側左方突出部(74)とが上下に間隔をおいて一体に形成され、同じく後キャップ(24b)には、出口ヘッダ部本体(66)の後側仕切部(42)よりも上側の空間(6a)内に嵌め入れられる上側左方突出部(75)と、後側仕切部(42)よりも下側の空間(6b)内に嵌め入れられる下側左方突出部(76)とが上下に間隔をおいて一体に形成されている。右端部材(24)の前キャップ(24a)の上側左方突出部(73)の突出端壁に冷媒入口(77)が形成され、同じく後キャップ(24b)の上側左方突出部(75)の突出端壁に冷媒出口(78)が形成されている。右端部材(24)の前後両側縁と上縁との間の連接部および下縁の前後両側部分に、それぞれ左方に突出して両部材(21)(22)に係合する係合爪(79)が一体に形成されている。【００６８】
図１２〜図１４に示すように、右端部材(24)の連結部(24c)の上端における前後方向の中央部に上方に突出した第１係合雄部(81)が一体に形成され、同じく連結部(24c)の下端部における前後方向の中央部に下方に突出した第２係合雄部(82)が一体に形成されている。第２係合雄部(82)は、エバポレータ(1)を製造するにあたって、右端部材(24)をジョイントプレート(25)に組み合わせる前の状態においては、右側方に突出している。右側方に突出した第２係合雄部を(82A)で示す（図１４鎖線参照）。さらに、右端部材(24)の下縁部の前後両端部には、それぞれ切り欠き(92)が形成されている。右端部材(24)は、自身のろう材層を利用して両部材(21)(22)にろう付されている。【００６９】
ジョイントプレート(25)は、右端部材(24)の冷媒入口(77)に通じる短円筒状冷媒流入口(83)と、同じく冷媒出口(78)に通じる短円筒状冷媒流出口(84)とを備えている。冷媒流入口(83)および冷媒流出口(84)は、それぞれ円形貫通穴と、貫通穴の周囲に右方突出状に一体に形成された短円筒状部とよりなる。【００７０】
ジョイントプレート(25)における冷媒流入口(83)と冷媒流出口(84)との間の部分には、上下方向に伸びる短絡防止用のスリット(85)が形成されるとともに、スリット(85)の上下両端に連なって略台形状の貫通穴(86)(87)が形成されている。また、ジョイントプレート(25)における上側貫通穴(86)の上方部分および下側貫通穴(87)の下方部分は、それぞれ左方（右端部材(24)側）に突出するようにＵ字状に屈曲されて第１および第２係合雌部(88)(89)が形成されている。第１係合雌部(88)には、右端部材(24)の第１係合雄部(81)が下方から挿通させられて第１係合雌部(88)に係合させられているとともに、第２係合雌部(89)には、右端部材(24)の第２係合雄部(82)が上方から挿通させられて第２係合雌部(89)に係合させられており、これによりジョイントプレート(25)の左右方向の移動が阻止されている。右端部材(24)の第２係合雄部(82)は、図１４に鎖線で示す右側方に突出した状態で下側の貫通穴(87)に通された後下方に曲げられることによって、第２係合雌部(89)に上方から挿通させられることになる。また、第１係合雌部(88)は、右端部材(24)の連結部(24c)における第１係合雄部(81)の前後両側部分に係合しており、これによりジョイントプレート(25)の下方への移動が阻止されている。さらに、ジョイントプレート(25)の下縁の前後両端部には、それぞれ左方に突出した係合爪(91)が一体に形成されているとともに、この係合爪(91)が右端部材(24)の下縁に形成された切り欠き(92)内に嵌った状態で右端部材(24)に係合しており、これによりジョイントプレート(25)の上方および前後方向への移動が阻止されている。このように、ジョイントプレート(25)は、左右方向、上下方向および前後方向の移動が阻止されるように右端部材(24)に係合させられた状態で、右端部材(24)のろう材層を利用して右端部材(24)にろう付されている。【００７１】
ジョイントプレート(25)の冷媒流入口(83)に、冷媒入口管(8)の一端部に形成された縮径部が差し込まれてろう付され、同じく冷媒流出口(84)に、冷媒出口管(9)の一端部に形成された縮径部が差し込まれてろう付されている。図示は省略したが、冷媒入口管(8)および冷媒出口管(9)の他端部には、両管(8)(9)に跨るように膨張弁取付部材が接合されている。【００７２】
図３、図１５および図１６に示すように、冷媒ターン用ヘッダタンク(3)は、両面にろう材層を有するアルミニウムブレージングシートから形成されかつすべての熱交換管(15)が接続されたプレート状の第１部材(93)と、両面にろう材層を有するアルミニウムブレージングシートから形成されかつ第１部材(93)の下側を覆う第２部材(94)と、両面にろう材層を有するアルミニウムブレージングシートから形成されかつ両部材(93)(94)の左右両端にろう付されたアルミニウム製端部材(95)(96)と、右端部材(96)の外面に、第１中間ヘッダ部(11)および第２中間ヘッダ部(12)にまたがるようにろう付された前後方向に長いアルミニウムベア材製の連通部材(97)とよりなり、連通部材(97)を介して第１中間ヘッダ部(11)と第２中間ヘッダ部(12)とが右端部で連通させられている。【００７３】
第１部材(93)は、冷媒入出用ヘッダタンク(2)の第１部材(21)と同一構成であるとともに第１部材(21)とは上下逆向きに配置されたものであり、同一部分には同一符号を付す。ここで、第１ヘッダ形成部(26)は第１中間ヘッダ部(11)の上部（上下方向内側部）を形成し、第２ヘッダ形成部(27)は第２中間ヘッダ部(12)の上部（上下方向内側部）を形成する。管挿通穴(36)に、熱交換コア部(4)の前後両熱交換管群(16)の熱交換管(15)の下端部が挿入され、第１部材(21)のろう材層を利用して第１部材(21)にろう付されており、これにより前側熱交換管群(16)の熱交換管(15)の下端部が第１中間ヘッダ部(11)に、後側熱交換管群(16)の熱交換管(15)の下端部が第２中間ヘッダ部(12)にそれぞれ連通状に接続されている。【００７４】
第２部材(94)は、前後の仕切部(41)(42)の構成を除いては、冷媒入出用ヘッダタンク(2)の第２部材(22)と同一構成であるとともに第２部材(22)とは上下逆向きに配置されたものであり、同一部分には同一符号を付す。ここで、第１ヘッダ形成部(44)は第１中間ヘッダ部(11)の下部を形成し、第２ヘッダ形成部(45)は第２中間ヘッダ部(12)の下部を形成する。冷媒ターン用ヘッダタンク(3)の第２部材(94)の前側仕切部(41)には、左右方向に長い比較的大きな複数の長方形状貫通穴(101)が、左右方向に間隔をおいて形成されている。また、後側仕切部(42)の後側部分には、複数の円形冷媒通過用貫通穴(102)が左右方向に間隔をおいて貫通状に形成されている。隣り合う円形冷媒通過用貫通穴(102)間の間隔は、右端部から遠ざかるにつれて徐々に大きくなっている。仕切部(42)の上面（熱交換管(15)側を向いた面）における貫通穴(102)の周囲の部分に、上方（熱交換管(15)側）に突出した短円筒状のフランジ(103)が一体に形成されている。貫通穴(102)およびフランジ(103)は、隣り合う２本の熱交換管(15)どうしの間に形成されている。なお、隣り合う円形冷媒通過用貫通穴(102)間の間隔は、すべて等しくなっていてもよい。前側仕切部(41)は第１中間ヘッダ部(11)内を上下２つの空間(11a)(11b)に仕切り、後側仕切部(42)は第２中間ヘッダ部(12)内を上下２つの空間(12a)(12b)に仕切っている。【００７５】
そして、第１部材(93)の第１ヘッダ形成部(26)と第２部材(94)の第１ヘッダ形成部(44)とによって、両端が開口した中空状の第１中間ヘッダ部本体(104)が形成され、第１部材(93)の第２ヘッダ形成部(27)と第２部材(94)の第２ヘッダ形成部(45)とによって、両端が開口した中空状の第２中間ヘッダ部本体(105)が形成されている。【００７６】
左端部材(95)は、冷媒入出用ヘッダタンク(2)の左端部材(23)と上下逆向きであって、第１中間ヘッダ部本体(104)の左端開口を閉鎖する前キャップ(95a)と、第２中間ヘッダ部本体(105)の左端開口を閉鎖する後キャップ(95b)とが連結部(95c)を介して一体化されたものであり、前キャップ(95a)には、第１中間ヘッダ部本体(104)の仕切部(41)よりも上側の空間(11a)内に嵌め入れられる上側右方突出部(106)と、仕切部(41)よりも下側の空間(11b)内に嵌め入れられる下側右方突出部(107)とが上下に間隔をおいて一体に形成され、同じく後キャップ(95b)には、第２中間ヘッダ部本体(105)の仕切部(42)よりも上側の空間(12a)内に嵌め入れられる上側右方突出部(108)と、仕切部(42)よりも下側の空間(12b)内に嵌め入れられる下側右方突出部(109)とが上下に間隔をおいて一体に形成されている。また、左端部材(95)の前後両側縁と上縁および下縁との間の円弧状部に、それぞれ右方に突出して両部材(93)(94)に係合する係合爪(111)が一体に形成されている。左端部材(95)は、自身のろう材層を利用して両部材(93)(94)にろう付されている。【００７７】
右端部材(96)は、第１中間ヘッダ部本体(104)の右端開口を閉鎖する前キャップ(96a)と、第２中間ヘッダ部本体(105)の右端開口を閉鎖する後キャップ(96b)とが連結部(96c)を介して一体化されたものであり、前キャップ(96a)には、第１中間ヘッダ部本体(104)の仕切部(41)よりも上側の空間(11a)内に嵌め入れられる上側左方突出部(112)と、仕切部(41)よりも下側の空間(11b)内に嵌め入れられる下側左方突出部(113)とが上下に間隔をおいて一体に形成され、同じく後キャップ(96b)には、第２中間ヘッダ部本体(105)の仕切部(42)よりも上側の空間(12a)内に嵌め入れられる上側左方突出部(114)と、仕切部(42)よりも下側の空間(12b)内に嵌め入れられる下側左方突出部(115)とが上下に間隔をおいて一体に形成されている。また、右端部材(96)の前後両側縁と上縁および下縁との間の円弧状部に、それぞれ左方に突出して両部材(93)(94)に係合する係合爪(116)が一体に形成されている。また、右端部材(96)の上縁の前後両端部に、それぞれ右方に突出しかつ下方に屈曲させられて連通部材(97)の上縁部に係合させられた係合爪(117)が一体に形成されるとともに、右端部材(96)の下縁の前後方向中央部に、右方に突出しかつ上方に屈曲させられて連通部材(97)の下縁部に係合させられた係合爪(117)が一体に形成されている。右端部材(96)の前キャップ(96a)の下側左方突出部(113)の突出端壁に、第１中間ヘッダ部(11)の仕切部(41)よりも下側の空間(11b)から冷媒を流出させる冷媒流出口(118)が形成され、同じく後キャップ(96b)の下側左方突出部(115)の突出端壁に、第２中間ヘッダ部(12)の仕切部(42)よりも下側の空間(12b)内に冷媒を流入させる冷媒流入口(119)が形成されている。また、後キャップ(96b)の下側左方突出部(115)における冷媒流入口(119)の周縁部の下側部分に、第２中間ヘッダ部(12)内方に向かって上方に傾斜または湾曲、ここでは湾曲したガイド部(121)が一体に形成されている。ガイド部(121)は、第２中間ヘッダ部(12)の仕切部(42)よりも下側の空間(12b)内に流入する冷媒を、上側に案内する。右端部材(96)は、自身のろう材層を利用して両部材(93)(94)にろう付されている。【００７８】
連通部材(97)はアルミニウムベア材にプレス加工を施すことにより形成されたものであり、外形が右方から見て右端部材(96)と同形同大となっているプレート状であって、その周縁部が右端部材(96)の外面に、右端部材(96)のろう材層を利用してろう付されている。連通部材(97)には、右端部材(96)の冷媒流出口(118)と冷媒流入口(119)とを通じさせるように外方膨出部(122)が形成されている。外方膨出部(122)の内部が、右端部材(96)の冷媒流出口(118)と冷媒流入口(119)とを通じさせる連通路となっている。また、連通部材(97)の上縁の前後両端部および下縁の前後方向の中央部には、それぞれ右端部材(96)の係合爪(117)が嵌る切り欠き(123)が形成されている。【００７９】
上述したエバポレータ(1)は、入口管(8)および出口管(9)を除いたすべての部品が組み合わされて一括ろう付されることにより製造される。【００８０】
エバポレータ(1)は、コンプレッサおよび冷媒冷却器としてのコンデンサとともに、フロン系冷媒を使用する冷凍サイクルを構成し、カーエアコンとして車両、たとえば自動車に搭載される。【００８１】
上述したエバポレータ(1)においては、コンプレッサのオン時には、コンプレッサ、コンデンサおよび膨張弁を通過した気液混相の２相冷媒が、冷媒入口管(8)からジョイントプレート(25)の冷媒流入口(83)および右端部材(24)の前キャップ(24a)の冷媒入口(77)を通って冷媒入出用ヘッダタンク(2)の冷媒入口ヘッダ部(5)の上部空間(5a)内に入る。冷媒入口ヘッダ部(5)の上部空間(5a)内に入った冷媒は左方に流れ、連通穴(72)を通って下部空間(5b)内に入るとともに、仕切部(41)の貫通穴(47)を通って下部空間(5b)内に入る。【００８２】
下部空間(5b)内に入った冷媒は、分流して前側熱交換管群(16)の熱交換管(15)の冷媒通路内に流入する。熱交換管(15)の冷媒通路内に流入した冷媒は、冷媒通路内を下方に流れて冷媒ターン用ヘッダタンク(3)の第１中間ヘッダ部(11)の上部空間(11a)内に入る。第１中間ヘッダ部(11)の上部空間(11a)内に入った冷媒は、仕切部(41)の貫通穴(101)を通って下部空間(11b)内に入り、下部空間(11b)内を右方に流れ、右端部材(96)の前キャップ(96a)の冷媒流出口(118)、連通部材(97)の外方膨出部(122)内の連通路および後キャップ(96b)の冷媒流入口(119)を通ることにより、流れ方向を変えるようにターンして第２中間ヘッダ部(12)の下部空間(12b)内に入る。【００８３】
第２中間ヘッダ部(12)の下部空間(12b)内に入った冷媒は左方に流れ、仕切部(42)の貫通穴(102)を通って上部空間(12a)内に入り、分流して後側熱交換管群(16)の熱交換管(15)の冷媒通路内に流入する。このとき、冷媒は、ガイド部(121)に案内されて左斜め上方、すなわち下部空間(12b)の内方に向かって仕切部(42)側に流れることになり、その結果仕切部(42)に形成された隣り合う貫通穴(102)間の間隔が、右端部から遠ざかるにつれて徐々に大きくなっていることと相俟って、貫通穴(102)を通って上部空間(12a)内に流入する冷媒の左右方向の分布が、ガイド部(121)がない場合に比較して均一化される。したがって、冷媒は第２中間ヘッダ部(12)に接続されている熱交換管(15)に均一に分流しやすくなり、熱交換コア部(4)における冷媒の分布の偏りが生じにくくなり、熱交換コア部(4)を通過してきた空気の温度も均一化されて熱交換性能が向上する。【００８４】
熱交換管(15)の冷媒通路内に流入した冷媒は、流れ方向を変えて冷媒通路内を上方に流れて冷媒出口ヘッダ部(6)の下部空間(6b)内に入り、仕切部(42)の貫通穴(51A)(51B)を通って上部空間(6a)内に入る。【００８５】
冷媒出口ヘッダ部(6)の上部空間(6a)内に入った冷媒は右方に流れ、右端部材(24)の後キャップ(24b)の冷媒出口(78)およびジョイントプレート(25)の冷媒流出口(84)を通り、冷媒出口管(9)に流出する。【００８６】
そして、冷媒が前後両熱交換管群(16)の熱交換管(15)の冷媒通路を流れる間に、熱交換コア部(4)の通風間隙を通過する空気と熱交換をし、冷媒は気相となって流出する。【００８７】
図１７〜図３６は、冷媒入出用タンク(2)および冷媒ターン用タンク(3)に用いられる第２部材の変形例を示す。【００８８】
図１７および図１８に示す第２部材(125)の場合、第１ヘッダ形成部(44)および第２ヘッダ形成部(45)に、その前後方向外側部分から同内側部分に至る帯状の外方膨出部(126)が、その長さ方向に間隔をおいて複数形成されており、これらの外方膨出部(126)の前後方向外端部が、第１部材(21)(93)の第１ヘッダ形成部(26)における前側壁(31)の垂直部(31b)の先端、および第２ヘッダ形成部(27)における後側壁(34)の垂直部(34b)の先端が当接する被当接部(127)となっている。したがって、被当接部(127)は、第２部材(125)の長さ方向に間隔をおいて複数形成されている。その他の構成は上述した実施形態の第２部材(22)(94)と同様である。【００８９】
図１９および図２０に示す第２部材(130)の場合、第１ヘッダ形成部(44)および第２ヘッダ形成部(45)の前後方向の外側部分に、スポット状の外方突出部(131)がその長さ方向に間隔をおいて複数形成されており、これらの外方突出部(131)の上下方向内側部分（第１部材(21)(93)側を向く部分）が、第１部材(21)(93)の第１ヘッダ形成部(26)における前側壁(31)の垂直部(31b)の先端、および第２ヘッダ形成部(27)における後側壁(34)の垂直部(34b)の先端が当接する被当接部(132)となっている。したがって、被当接部(132)は、第２部材(130)の長さ方向に間隔をおいて複数形成されている。【００９０】
また、第１ヘッダ形成部(44)および第２ヘッダ形成部(45)に、その前後方向外側部分から同内側部分に至る帯状の内方膨出部(133)が、その長さ方向に間隔をおいて複数形成されている。その他の構成は上述した実施形態の第２部材(22)(94)と同様である。【００９１】
図２１および図２２に示す第２部材(135)を冷媒入出用タンク(2)に用いる場合、冷媒入口ヘッダ部(5)内を上下２つの空間(5a)(5b)に仕切る前側仕切部(41)に、下方（熱交換管(15)側）に突出しかつ膨出端壁が平坦な複数の膨出部(136)が左右方向に間隔をおいて形成され、全膨出部(136)のうちの適当な位置にある膨出部(136)の膨出端壁(136a)に冷媒通過用貫通穴(137)が形成されている。膨出部(136)は、隣り合う熱交換管(15)どうしの間に形成される。【００９２】
なお、第２部材(135)を冷媒ターン用タンク(3)に用いる場合、第２中間ヘッダ部(12)を上下２つの空間(12a)(12b)に仕切る後側仕切部(42)に、上方（熱交換管(15)側）に突出しかつ膨出端壁が平坦な複数の膨出部(136)が左右方向に間隔をおいて形成され、全膨出部(136)のうちの適当な位置にある膨出部(136)の膨出端壁(136a)に冷媒通過用貫通穴(137)が形成される。膨出部(136)は、隣り合う熱交換管(15)どうしの間に形成される。その他の構成は上述した実施形態の第２部材(22)(94)と同様である。【００９３】
図２３および図２４に示す第２部材(160)を冷媒入出用ヘッダタンク(2)に用いる場合、冷媒入口ヘッダ部(5)内を上下２つの空間(5a)(5b)に仕切る前側仕切部(41)における前後方向の中間部に、冷媒入口ヘッダ部(5)の上下両空間(5a)(5b)を通じさせる複数の冷媒通過用円形貫通穴(161)が、左右方向に間隔をおいて形成されている。前側仕切部(41)の下面（熱交換管(15)側を向いた面）における貫通穴(161)の周囲の部分であって、かつ冷媒入口ヘッダ部(5)の上部空間(5a)（冷媒が熱交換管に流入するヘッダ部内における熱交換管とは反対側の空間）での冷媒の流れ方向上流側の部分に、球の１／４の形状を有しかつ下方に向かって左方に湾曲したガイド部(162)が一体に形成されている。貫通穴(161)およびガイド部(162)は、隣り合う２本の熱交換管(15)どうしの間に形成されている。その他の構成は上述した実施形態の第２部材(22)(94)と同様である。【００９４】
なお、図示は省略したが、第２部材(160)を冷媒ターン用ヘッダタンク(3)に用いる場合、第２中間ヘッダ部(12)を上下２つの空間(12a)(12b)に仕切る後側仕切部(42)に、第２中間ヘッダ部(12)を上下２つの空間(12a)(12b)を通じさせる複数の冷媒通過用円形貫通穴(161)が、左右方向に間隔をおいて形成される。後側仕切部(42)の上面（熱交換管(15)側を向いた面）における貫通穴(161)の周囲の部分であって、かつ第２中間ヘッダ部(12)の下部空間(12b)（冷媒が熱交換管に流入するヘッダ部内における熱交換管とは反対側の空間）での冷媒の流れ方向上流側の部分に、球の１／４の形状をしかつ下方に向かって左方に湾曲したガイド部(162)が一体に形成される。【００９５】
図２５および図２６に示す第２部材(195)を冷媒入出用ヘッダタンク(2)に用いる場合、冷媒入口ヘッダ部(5)内を上下２つの空間(5a)(5b)に仕切る前側仕切部(41)における前後方向の中間部に、冷媒入口ヘッダ部(5)の上下両空間(5a)(5b)を通じさせる複数の冷媒通過用円形貫通穴(196)が、左右方向に間隔をおいて形成されている。前側仕切部(41)の上面（熱交換管(15)とは反対側を向いた面）における貫通穴(196)の周囲の部分であって、かつ冷媒入口ヘッダ部(5)の上部空間(5a)（冷媒が熱交換管に流入するヘッダ部内における熱交換管とは反対側の空間）での冷媒の流れ方向下流側の部分に、球の１／４の形状を有しかつ上方に向かって右方に湾曲したガイド部(197)が一体に形成されている。貫通穴(196)およびガイド部(197)は、隣り合う２本の熱交換管(15)どうしの間に形成されている。その他の構成は上述した実施形態の第２部材(22)(94)と同様である。【００９６】
なお、図示は省略したが、第２部材(195)を冷媒ターン用ヘッダタンク(3)に用いる場合、第２中間ヘッダ部(12)を上下２つの空間(12a)(12b)に仕切る後側仕切部(42)に、第２中間ヘッダ部(12)を上下２つの空間(12a)(12b)を通じさせる複数の冷媒通過用円形貫通穴(196)が、左右方向に間隔をおいて形成される。後側仕切部(42)の下面（熱交換管(15)とは反対側を向いた面）における貫通穴(196)の周囲の部分であって、かつ第２中間ヘッダ部(12)の下部空間(12b)（冷媒が熱交換管に流入するヘッダ部内における熱交換管とは反対側の空間）での冷媒の流れ方向下流側の部分に、球の１／４の形状をしかつ下方に向かって右方に湾曲したガイド部(197)が一体に形成される。【００９７】
図２７および図２８に示す第２部材(165)を冷媒入出用ヘッダタンク(2)に用いる場合、冷媒入口ヘッダ部(5)内を上下２つの空間(5a)(5b)に仕切る前側仕切部(41)に、下方（熱交換管(15)側）に突出した半球状の膨出部(166)が一体に形成され、全膨出部(141)のうちの適当な位置にある膨出部(166)に複数の冷媒通過用貫通穴(167)が放射状に形成されている。膨出部(166)は、隣り合う熱交換管(15)どうしの間に形成されている。その他の構成は上述した実施形態の第２部材(22)(94)と同様である。【００９８】
なお、図示は省略したが、第２部材(165)を冷媒ターン用ヘッダタンク(3)に用いる場合、第２中間ヘッダ部(12)を上下２つの空間(12a)(12b)に仕切る後側仕切部(42)に、上方（熱交換管(15)側）に突出した半球状の膨出部(166)が一体に形成され、全膨出部(166)のうちの適当な位置にある膨出部(166)に複数の冷媒通過用貫通穴(167)が放射状に形成される。膨出部(166)は、隣り合う熱交換管(15)どうしの間に形成される。【００９９】
図２９および図３０に示す第２部材(170)を冷媒入出用ヘッダタンク(2)に用いる場合、冷媒入口ヘッダ部(5)内を上下２つの空間(5a)(5b)に仕切る前側仕切部(41)に、下方（熱交換管(15)側）に突出するとともに前後方向（冷媒入出用ヘッダタンク(2)の幅方向）にのびる横断面Ｖ字状の突出部(171)が左右方向に間隔をおいて一体に形成され、全突出部(171)のうちの適当な位置にある突出部(171)におけるＶ字をなす両壁部に跨って冷媒通過用貫通穴(172)が形成されている。突出部(171)は、隣り合う熱交換管(15)どうしの間に形成されている。その他の構成は上述した実施形態の第２部材(22)(94)と同様である。【０１００】
なお、図示は省略したが、第２部材(170)を冷媒ターン用ヘッダタンク(3)に用いる場合、第２中間ヘッダ部(12)を上下２つの空間(12a)(12b)に仕切る後側仕切部(42)に、上方（熱交換管(15)側）に突出するとともに前後方向（冷媒入出用ヘッダタンク(2)の幅方向）にのびる横断面Ｖ字状の突出部(171)が左右方向に間隔をおいて一体に形成され、全突出部(171)のうちの適当な位置にある突出部(171)におけるＶ字をなす両壁部に跨って冷媒通過用貫通穴(172)が形成される。突出部(171)は、隣り合う熱交換管(15)どうしの間に形成される。【０１０１】
図３１および図３２に示す第２部材(175)を冷媒入出用ヘッダタンク(2)に用いる場合、横断面Ｖ字状の全突出部(171)のうちの適当な位置にある突出部(171)におけるＶ字をなす両壁部に、それぞれ冷媒通過用貫通穴(176)が形成されている。その他の構成は図２９および図３０に示す第２部材(170)と同様である。なお、図３１および図３２に示す第２部材(175)も、図２９および図３０に示す第２部材(170)と同様にして、冷媒ターン用ヘッダタンク(3)に用いられる。【０１０２】
図３３に示す第２部材(140)は、冷媒入口ヘッダ部(5)の上部および第１中間ヘッダ部(11)の下部を形成する第１ヘッダ形成部(141)と、冷媒出口ヘッダ部(6)の上部および第２中間ヘッダ部(12)の下部を形成する第２ヘッダ形成部(142)と、両ヘッダ形成部(141)(142)どうしを一体に連結する連結壁(143)（連結部）と、両ヘッダ形成部(141)(142)の内側に設けられた前後両水平状仕切部(144)(145)とを備えている。【０１０３】
第２部材(140)の両ヘッダ形成部(141)(142)の横断面形状は、上下方向内方（熱交換管(15)側）に開口するとともに、前後方向中央部が上下方向外方に突出した横断面略Ｕ字状である。第１ヘッダ形成部(141)の前側壁部分および第２ヘッダ形成部(142)の後側壁部分における仕切部(144)(145)寄りの部分に、それぞれ外方突出部(146)がその長さ方向に間隔をおいて複数形成されており、これらの外方突出部(146)の上下方向内側部分（第１部材(21)側を向く部分）が、第１部材(21)の第１ヘッダ形成部(26)における前側壁(31)の垂直部(31b)の先端、および第２ヘッダ形成部(27)における後側壁(34)の垂直部(34b)の先端が当接する被当接部(147)となっている。したがって、被当接部(147)は、第２部材(140)の長さ方向に間隔をおいて複数形成されている。【０１０４】
第２部材(140)の両ヘッダ形成部(141)(142)間の連結壁(143)には、複数の排水用貫通穴（図示略）および複数の固定用貫通穴(148)が、それぞれ第１部材(21)の連結壁(28)の排水用貫通穴(37)および固定用貫通穴(38)と合致するように形成されている。【０１０５】
前側仕切部(144)の後側縁部は後斜め下方に屈曲されており、その後側縁に連結壁(143)の上下方向内側面（熱交換管(15)側を向いた面）の前半部、および第１部材(21)の連結壁(28)の上下方向外側面の前半部にそれぞれ面接触状態でろう付された水平な面接触部(151)が形成されている。面接触部(151)の後側縁は、連結壁(143)の排水用貫通穴および固定用貫通穴(148)を塞がないような位置にある。面接触部(151)の後側縁に、上下方向外方に突出しかつ連結壁(143)の固定用貫通穴(148)に通されて連結壁(143)にろう付された複数の突片(152)が左右方向に間隔をおいて形成されている（図３４参照）。後側仕切部(145)の前側縁部は前斜め下方に屈曲されており、その前側縁に連結壁(143)の上下方向内側面（熱交換管(15)側を向いた面）の後半部、および第１部材(21)の連結壁(28)の上下方向外側面の後半部にそれぞれ面接触状態でろう付された水平な面接触部(153)が形成されている。面接触部(153)の前側縁は、連結壁(143)の排水用貫通穴および固定用貫通穴(148)を塞がないような位置にある。面接触部(153)の前側縁に、上下方向外方に突出しかつ連結壁(143)の固定用貫通穴(148)に通されて連結壁(143)にろう付された複数の突片(154)が左右方向に間隔をおいて形成されている。両仕切部(144)(145)の突片(152)(154)は、左右方向に交互に固定用貫通穴(148)に通されている。さらに、図示は省略したが、各面接触部(151)(153)の前後方向内側縁に、他の面接触部(153)(151)側に突出しかつ当該他の面接触部(153)(151)に当接して面接触部(153)(151)にろう付された複数の当接片が一体に形成されている。当該当接片は、第１および第２部材(21)(22)の排水用貫通穴(37)および固定用貫通穴(38)(148)とは左右方向にずれて、これらの貫通穴(37)(38)(148)と干渉しないように形成されている。【０１０６】
図示は省略したが、第２部材(140)が冷媒入出用タンク(2)に用いられる場合には、前側仕切部(144)に切り欠き(46)、冷媒通過用貫通穴(47)およびフランジ(48)が形成され、後側仕切部(145)に冷媒通過用貫通穴(51A)(51B)およびフランジ(52A)(52B)が形成される。また、第２部材(140)が冷媒ターン用タンク(3)に用いられる場合には、前側仕切部(144)に長方形状冷媒通過用貫通穴(101)が形成され、後側仕切部(145)に冷媒通過用貫通穴(102)およびフランジ(103)が形成される。【０１０７】
第２部材(140)は、図３４に示すように、両面にろう材層を有するアルミニウムブレージングシートからなる素板に加工を施して、外方突出部(146)、排水用貫通穴、固定用貫通穴(148)、面接触部(151)(153)、突片(152)(154)および当接片を形成した後、素板を適当な方法で曲げ、第１および第２ヘッダ形成部(141)(142)、連結壁(143)、ならびに両仕切部(144)(145)を形成するとともに、突片(152)(154)を固定用貫通穴(148)に通し、この半製品の所定部分をろう付することによりつくられる。なお、半製品の所定部分のろう付は、エバポレータ(1)を製造する際の他の部品のろう付と同時に行われる。ここで、第２部材(140)が冷媒入出用タンク(2)に用いられる場合には、素板を曲げる前に、切り欠き(46)、円形貫通穴(47)、フランジ(48)、長円形貫通穴(51A)(51B)およびフランジ(52A)(52B)を形成しておく。また、第２部材(140)が冷媒ターン用タンク(3)に用いられる場合には、素板を曲げる前に、貫通穴(101)、貫通穴(102)およびフランジ(103)を形成しておく。【０１０８】
図３５および図３６に示す第２部材(180)は、冷媒入口ヘッダ部(5)の上部および第１中間ヘッダ部(11)の下部を形成する第１ヘッダ形成部(181)と、冷媒出口ヘッダ部(6)の上部および第２中間ヘッダ部(12)の下部を形成する第２ヘッダ形成部(182)と、両ヘッダ形成部(181)(182)どうしを一体に連結する連結壁(183)（連結部）と、両ヘッダ形成部(181)(182)の上下方向内側に設けられた前後２つの水平板状仕切部(184)(185)とを備えている。【０１０９】
第２部材(180)の両ヘッダ形成部(181)(182)の横断面形状は、上下方向内方（熱交換管(15)側）に開口するとともに、前後方向中央部が上下方向外方に突出した横断面略Ｕ字状である。【０１１０】
第２部材(180)の両ヘッダ形成部(181)(182)間の連結壁(183)には、複数の排水用貫通穴(186)および複数の固定用貫通穴(187)が、それぞれ第１部材(21)の連結壁(28)の排水用貫通穴(37)および固定用貫通穴(38)と合致するように形成されている。【０１１１】
前側仕切部(184)と後側仕切部(185)とは、両仕切部(184)(185)と同一水平面内に位置する水平な連結壁(188)（連結部）により一体に連結されており、連結壁(188)が、連結壁(183)の上下方向内側面（熱交換管(15)側を向いた面）、および第１部材(21)の連結壁(28)の上下方向外側面にそれぞれ面接触状態でろう付されいる。連結壁(188)には、複数の排水用貫通穴(189)および複数の固定用貫通穴(191)が、それぞれ連結壁(183)の排水用貫通穴(186)および固定用貫通穴(187)と合致するように形成されている。また、前側仕切部(184)の前側縁部（前後方向外側縁部）は、前側ヘッダ形成部(181)の前側縁部（前後方向外側縁部）と一体に連なっている。後側仕切部(185)の後側縁部（前後方向外側縁部）には、上下方向外側に突出しかつ後側ヘッダ形成部(182)の後側壁部外面に係合してろう付されている係合部(192)が一体に形成されている。【０１１２】
そして、第１部材(21)の連結壁(28)と、第２部材(180)の両ヘッダ形成部(181)(182)間の連結壁(183)と、第２部材(180)の両仕切部(184)(185)間の連結壁(188)とは、固定用貫通穴(38)(187)(191)に上方から通された固定片(193a)を有する帯板状の固定部材(193)により仮止めされた状態でろう付されている。【０１１３】
図示は省略したが、第２部材(180)が冷媒入出用タンク(2)に用いられる場合には、前側仕切部(184)に切り欠き(46)、冷媒通過用貫通穴(47)およびフランジ(48)が形成され、後側仕切部(185)に冷媒通過用貫通穴(51A)(51B)およびフランジ(52A)(52B)が形成される。また、第２部材(180)が冷媒ターン用タンク(3)に用いられる場合には、前側仕切部(184)に長方形状冷媒通過用貫通穴(101)が形成され、後側仕切部(185)に冷媒通過用貫通穴(102)およびフランジ(103)が形成される。【０１１４】
第２部材(180)は、図３７および図３８に示すように、両面にろう材層を有するアルミニウムブレージングシートからなる素板に加工を施して、排水用貫通穴(186)(189)、固定用貫通穴(187)(191)および係合部(192)を形成した後、素板を適当な方法で曲げ、第１および第２ヘッダ形成部(181)(182)、連結壁(183)、両仕切部(184)(185)および連結壁(188)を形成するとともに、係合部(192)を後側ヘッダ形成部(182)の後側壁部外面に係合させることにより半製品をつくり、この半製品の所定部分をろう付することによりつくられる。なお、半製品の所定部分のろう付は、エバポレータ(1)を製造する際の他の部品のろう付と同時に行われるが、第１部材(21)と第２部材(180)との所定部分のろう付は、固定部材(193)の固定片(193a)を固定用貫通穴(187)(191)と第１部材(21)の固定用貫通穴(38)に通してかしめることより第２部材(180)と第１部材(21)とを仮止めして行われる。ここで、第２部材(180)が冷媒入出用タンク(2)に用いられる場合には、素板を曲げる前に、切り欠き(46)、円形貫通穴(47)、フランジ(48)、長円形貫通穴(51A)(51B)およびフランジ(52A)(52B)を形成しておく。また、第２部材(180)が冷媒ターン用タンク(3)に用いられる場合には、素板を曲げる前に、貫通穴(101)、貫通穴(102)およびフランジ(103)を形成しておく。【０１１５】
上記実施形態においては、この発明による熱交換器が、フロン系冷媒を使用するカーエアコンのエバポレータに適用されているが、これに限定されるものではなく、コンプレッサ、冷媒冷却器としてのガスクーラ、中間熱交換器、膨張弁およびエバポレータを有しかつＣＯ２冷媒のような超臨界冷媒を使用するカーエアコンを備えた車両、たとえば自動車において、カーエアコンのエバポレータに適用されることがある。
【産業上の利用可能性】
【０１１６】
この発明の熱交換器は、たとえば自動車に搭載される冷凍サイクルであるカーエアコンのエバポレータに好適に使用される。
【図面の簡単な説明】
【０１１７】
【図１】この発明による熱交換器を適用したエバポレータの全体構成を示す一部切り欠き斜視図である。
【図２】図１に示すエバポレータを後方から見た際の中間部を省略した垂直断面図である。
【図３】一部を省略した図２のＡ−Ａ線拡大断面図である。
【図４】図１に示すエバポレータの冷媒入出用ヘッダタンクの部分の分解斜視図である。
【図５】図２のＢ−Ｂ線断面図である。
【図６】図５のＣ−Ｃ線断面図である。
【図７】図５のＤ−Ｄ線拡大断面図である。
【図８】図５のＥ−Ｅ線拡大断面図である。
【図９】図５のＦ−Ｆ線拡大断面図である。
【図１０】冷媒入出用タンクの第２部材の製造方法の一工程を示す横断面図である。
【図１１】冷媒入出用タンクの第２部材の製造方法の図１０とは異なる工程を示す横断面図である。
【図１２】図５のＧ−Ｇ線拡大断面図である。
【図１３】図１２のＨ−Ｈ線断面図である。
【図１４】図１に示すエバポレータの冷媒入出用ヘッダタンクの右端部材とジョイントプレートとを示す一部切り欠き斜視図である。
【図１５】図１に示すエバポレータの冷媒ターン用ヘッダタンクの部分の分解斜視図である。
【図１６】一部を切り欠いて示す図２のＩ−Ｉ線断面図である。
【図１７】第２部材の第１の変形例を示す部分正面図である。
【図１８】第２部材の第１の変形例を示す横断面図である。
【図１９】第２部材の第２の変形例を示す部分正面図である。
【図２０】第２部材の第２の変形例を示す横断面図である。
【図２１】第２部材の第３の変形例を用いたエバポレータの一部分を示す図６の要部に相当する図である。
【図２２】図２１のＪ−Ｊ線断面図である。
【図２３】第２部材の第４の変形例を用いたエバポレータの一部分を示す図６の要部に相当する図である。
【図２４】図２３のＫ−Ｋ線断面図である。
【図２５】第２部材の第５の変形例を用いたエバポレータの一部分を示す図６の要部に相当する図である。
【図２６】図２５のＬ−Ｌ線断面図である。
【図２７】第２部材の第６の変形例を用いたエバポレータの一部分を示す図６の要部に相当する図である。
【図２８】図２７のＭ−Ｍ線断面図である。
【図２９】第２部材の第７の変形例を用いたエバポレータの一部分を示す図６の要部に相当する図である。
【図３０】図２９のＮ−Ｎ線断面図である。
【図３１】第２部材の第８の変形例を用いたエバポレータの一部分を示す図６の要部に相当する図である。
【図３２】図３１のＯ−Ｏ線断面図である。
【図３３】第２部材の第９の変形例を示す横断面図である。
【図３４】図３３の第２部材の製造方法の一工程を示す横断面図である。
【図３５】第２部材の第１０の変形例を用いたエバポレータの一部分を示す図３の要部に相当する図である。
【図３６】図３５の第２部材を用いたエバポレータの一部分を示す図１３に相当する図である。
【図３７】図３５の第２部材の製造方法の一工程を示す横断面図である。
【図３８】図３５の第２部材の製造方法における図３７とは異なる工程を示す横断面図である。
【図１】
2008041698.tif 000003
【図２】
2008041698.tif 000004
【図３】
2008041698.tif 000005
【図４】
2008041698.tif 000006
【図５】
2008041698.tif 000007
【図６】
2008041698.tif 000008
【図７】
2008041698.tif 000009
【図８】
2008041698.tif 000010
【図９】
2008041698.tif 000011
【図１０】
2008041698.tif 000012
【図１１】
2008041698.tif 000013
【図１２】
2008041698.tif 000014
【図１３】
2008041698.tif 000015
【図１４】
2008041698.tif 000016
【図１５】
2008041698.tif 000017
【図１６】
2008041698.tif 000018
【図１７】
2008041698.tif 000019
【図１８】
2008041698.tif 000020
【図１９】
2008041698.tif 000021
【図２０】
2008041698.tif 000022
【図２１】
2008041698.tif 000023
【図２２】
2008041698.tif 000024
【図２３】
2008041698.tif 000025
【図２４】
2008041698.tif 000026
【図２５】
2008041698.tif 000027
【図２６】
2008041698.tif 000028
【図２７】
2008041698.tif 000029
【図２８】
2008041698.tif 000030
【図２９】
2008041698.tif 000031
【図３０】
2008041698.tif 000032
【図３１】
2008041698.tif 000033
【図３２】
2008041698.tif 000034
【図３３】
2008041698.tif 000035
【図３４】
2008041698.tif 000036
【図３５】
2008041698.tif 000037
【図３６】
2008041698.tif 000038
【図３７】
2008041698.tif 000039
【図３８】
2008041698.tif 000040
【国際調査報告】
2008041698.tif 000041
2008041698.tif 000042
2008041698.tif 000043
2008041698.tif 000044